(57)【要約】【課題】犬等のペットの糞の始末を簡単に行うことができるペット用糞処理用袋を提供する。【解決手段】水溶性を有する紙製の外袋２に、それよりも深いポリエチレン製の内袋３を収容した構造とする。使用時には、内袋３に手を差し入れ、外袋２側で包むようにペットの糞をつかんで、外袋２と内袋３とを逆転させるように裏返すといった簡単な作業で糞を内袋３に収容でき、収容した糞は、外袋２にくるまれた状態のままで水洗トイレに流すことができる。内袋３にマチ４，４を設けることにより、内袋３手を差し入れる作業や、外袋２と内袋３とを逆転させる作業を行いやすくする。内袋３を半透明とし、かつその底部３ａ近傍の表面側に、使用上の注意書き表示Ｂを反転印刷しておき、糞を収容した後に裏返した状態で、使用者以外にも取り扱い上の注意を知らせることができるようにする。【選択図】　　図１
2004049110.tif 000002
【特許請求の範囲】
【請求項１】
水溶性を有する紙製の外袋と、外袋に収容されるとともに開口部側が外袋より露出する深さ寸法を有する合成樹脂製の内袋とからなることを特徴とする汚物処理用袋。
【請求項２】
前記内袋に、開口する上縁から底縁にわたりマチを設けたことを特徴とする請求項１記載の汚物処理用袋。
【請求項３】
前記内袋に、内側から正視可能な説明表示を設けたことを特徴とする請求項１又は２記載の汚物処理用袋。
【請求項４】
前記説明表示を、前記外袋に収容された前記内袋の底部側の周面領域に設けたことを特徴とする請求項２記載の汚物処理用袋。
【請求項５】
前記内袋を透明性を有する合成樹脂製のシート材により形成し、前記説明表示を前記内袋の表面に反転印刷したことを特徴とする請求項３又は４記載の汚物用処理袋。
【発明の詳細な説明】
【０００１】
【発明の属する技術分野】
本発明は、犬等のペットの糞の処理に用いるペット用糞処理用袋に関する。
【０００２】
【従来の技術】
従来、例えば犬を散歩させるときには、散歩途中において排泄した糞の始末をすることが飼い主のモラルとされており、周囲の者からもそれが要求されている。排泄された糞の始末は、小型のシャベルで糞をすくい取って、持参したビニール袋に入れ自宅に持ち帰るのが一般的であり、持ち帰ったものは、糞のみをトイレに流し、ビニール袋（場合によってはティッシュペーパーを含む）を家庭ゴミとして廃棄している。また、近年では、専用の器具すなわち糞を挟む簡易な道具と、それを入れる容器とがセットになったものを持参し、糞をビニール袋に収容し持ち帰る者もある。
【０００３】
【発明が解決しようとする課題】
しかしながら、前述した処理方法では、水分を比較的多く含んだ糞に対処しづらい。また、使用後におけるシャベルや専用の器具の洗浄作業を強いられる等の問題があった。
【０００４】
本発明は、かかる実情に鑑みてなされたものであり、犬等のペットの糞の始末を簡単に行うことができるペット用糞処理用袋を提供すること目的とする。
【０００５】
【課題を解決するための手段】
前記課題を解決するために本発明の請求項１の発明にあっては、水溶性を有する紙製の外袋と、外袋に収容されるとともに開口部側が外袋より露出する深さ寸法を有する合成樹脂製の内袋とからなるものとした。
【０００６】
かかる構成においては、その使用時に際して、内袋に手を差し入れ、重なっている外袋と内袋とで包むようにペットの糞をつかみ、外袋と内袋とを逆転させるように裏返すといった簡単な作業で、糞を外袋にくるんだ状態で内袋に収容することができる。その後は、内袋が合成樹脂製であるため、糞を収容した状態で、支障なくそれを持ち歩くことができ、さらに外袋が水溶性を有する紙製であるため、外袋にくるまれた状態の糞はそのまま水洗トイレに流すことができる。
【０００７】
また、請求項２の発明にあっては、前記内袋に、開口する上縁から底縁にわたりマチを設けたものとした。
【０００８】
かかる構成においては、開口部が開け易く、かつ開口部を開け広げたときには外袋よりも大きな開口面積が得られる。また、内袋の厚さが薄くとも、閉じた状態での側縁に、屈曲しにくい保形性能をマチによって確保することができる。
【０００９】
また、請求項３の発明にあっては、前記内袋に、内側から正視可能な文字や絵による注意書きや使用方法の説明等の説明表示を設けたものとした。
【００１０】
かかる構成においては、外袋にくるまれた糞が内袋に収容された状態においても、説明表示を視認することができる。
【００１１】
また、請求項４の発明にあっては、前記説明表示を、前記外袋に収容された前記内袋の底部側の周面領域に設けたものとした。
【００１２】
かかる構成においては、外袋と共に糞を内袋に収容した後、内袋の開口部側を結んで閉じた場合であっても、説明表示を視認することができる。
【００１３】
また、請求項５の発明にあっては、前記内袋を透明性を有する合成樹脂製のシート材により形成し、前記説明表示を前記内袋の表面に反転印刷したものとした。
【００１４】
かかる構成においては、内外が反転した状態で要をなす説明表示を、内袋の表面に設ける文字や絵、図柄等と共に一度で印刷することができる。
【００１５】
【発明の実施の形態】
以下、本発明の一実施の形態を図にしたがって説明する。
【００１６】
図１は、本発明にかかるペット用糞処理用袋１を示す外観図である。ペット用糞処理用袋１は外袋２と、外袋２に底部３ａ側が収容された内袋３とから構成されている。外袋２は、トイレットペーパと同様の素材からなる水溶性を有する紙製であって、長方形の紙を二枚重ねとしたものを長手方向の中央で二つに折り、折返部分を底部２ａとするとともに、それに連なる相対向する両側辺２ｂ，２ｂにて４枚の紙をのり付けすることにより袋状に形成されている。
【００１７】
内袋３は、ポリエチレンにより形成された薄手の袋すなわちポリ袋である。内袋３は外袋２よりも大きな深さ寸法を有しており、外袋２に収納した状態では、図示したように開口部３ｂ側が外袋より露出するようになっている。なお、露出寸法ｔは、外袋２の深さ寸法とほぼ同一である。また、内袋３の両側部には、上縁３３ｂから底縁３３ａに亙って谷折りされたマチ４，４が形成されている。
【００１８】
さらに、本実施の形態の内袋３は半透明であって、その表面には、開口部３ｂ側の周面領域に第１の注意書き表示Ａが印刷され、底部３ａ近傍の周面領域に第２の注意書き表示Ｂが印刷されている。その表示内容は同一であるが、第２の注意書き表示Ｂについては、内袋３の側から正視可能なように反転して印刷されている。なお、本実施の形態では第２の注意書き表示Ｂが本発明の説明表示であり、また、表示内容としては、例えば「ポリ袋は水洗トイレに流さないで下さい。多量に水洗トイレに流さないで下さい、配水管を詰まらせる恐れがあります。」といった文言である。
【００１９】
次に、以上の構成からなるペット用糞処理袋１の使用方法を図２にしたがって説明する。まず、その使用に際しては、図２（ａ）に示したように内袋３に手を差し入れ、重なっている外袋２と内袋２の底部２ａ，３ａとで包むようにペットの糞１００をつかみ、その状態で同図（ｂ）に示したように外袋２と内袋３とを逆転させるように裏返す。これにより、使用者は簡単な作業で、同図（ｃ）に示したように糞１００を紙製の外袋２にくるんだ状態で内袋３に収容することができる。その後は、内袋３が合成樹脂製であるため、糞１００を収容した状態で支障なくそれを持ち歩くことができる。そして、それを自宅へ持ち帰った後には、同図（ｄ）に示したように内袋３を開けて糞１００を水洗トイレに流す。このとき、外袋２がトイレットペーパと同様の素材であるため、外袋２にくるまれた状態のままで糞１００を水洗トイレに流すことができる。
【００２０】
よって、ペット用糞処理袋１を用いることにより犬等のペットの糞の始末を簡単に行うことが可能となる。特に犬の散歩に際して飼い主が糞の始末に用いるのに好適である。また、例えば自宅の庭等において、近所で飼われている、又は飼い主のいない猫が排泄した糞の始末にも使用できるため、犬や猫といったペットを飼っていない者においても利用価値がある。
【００２１】
また、本実施の形態のペット用糞処理袋１にあっては、内袋３の両側部にマチ４，４が形成されているため、マチ４，４がない場合に比べて開口部３ｂを簡単に開け広げることができる。そのため、前述した使用時に内袋３に手を差し入れるとき、それを容易に行うことができる。そのため、例えば犬の散歩中では一方の手でリードを握ったままで、あるいは雨天等では傘を差したままであっても、簡単に手を差し入れることができ、使い勝手がよい。
【００２２】
さらに、マチ４，４が形成されている内袋３においては、その開口部３ｂ側には、外袋２よりも大きな開口面積を得ることができる。そのため、糞１００を掴んだままで外袋２と内袋３とを逆転させるように裏返すとき、その作業を楽に行うことができ、これによっても使い勝手がよい。
【００２３】
一方、マチ４，４が形成されている内袋３においては、その厚さが薄くとも、内部を広げていない閉じた状態にあるとき相対向する両側部には、屈曲しにくい保形性能をマチ４，４によって確保することができる。そのため、ペット用糞処理用袋１の製造に際しては、マチ４，４がない場合に比べて内袋３が取り扱いやすく、外袋２に内袋３を収容する作業が容易となる。よって、それを人手により行う場合の作業効率を向上させることができ、かつ自動化の実現が容易となる。その結果、ペット用糞処理用袋１の低コスト化が可能となるとともに、消耗品であるペット用糞処理用袋１を安価にて提供することができる。
【００２４】
なお、本実施の形態では、閉じた状態にあるとき相対向する両側部にマチ４を設けた内袋３を示したが、片方の側部にだけマチ４を設けた内袋３を使用しても構わない。その場合であっても、やや度合いは低下するものの前述した効果を得ることは可能である。また、マチ４については図１に示した谷折りされた構造である必要はなく、内袋３の外側に折り曲げられた構造とすることもできる。
【００２５】
また、本実施の形態のペット用糞処理袋１にあっては、内袋３の底部３ａ側に第２の注意書き表示Ｂが設けられているため、図３に示したように糞１００を収容した後に内袋３の開口部３ｂ側を結んで閉じたとしても、第２の注意書き表示Ｂを視認することができる（同図において第１の注意書き表示Ａは省略してある）。したがって、そのような状態であっても、使用者以外の第三者に取り扱い上の注意を知らせることができ、便利である。
【００２６】
なお、本実施の形態では、第２の注意書き表示Ｂを内袋３の底部３ａ近傍に設けたものを示したが、内袋３の底部３ａ側であれば、上記効果を得ることができる。また、上記効果を得るには、第２の注意書き表示Ｂを底部３ａ側に設ける方が望ましいが、場合によってはそれ以外の周面領域に設けるようにしてもよい。
【００２７】
また、本実施の形態では、内袋３を半透明とし、かつ第２の注意書き表示Ｂを内袋３の表面に反転印刷した構成であるため、第２の注意書き表示Ｂを第１の注意書き表示Ａと共に一度で印刷することができる。よって、コスト増を招くことなく、第２の注意書き表示Ｂを設けることができる。これによっても、使い勝手のよいペット用糞処理袋１を安価にて提供することができる。
【００２８】
なお、本実施の形態では、本発明の説明表示の例として、第１の注意書き表示Ａと表示内容が同じ第２の注意書き表示Ｂを示したが、これ以外にも、例えば図２に示したような使用方法の説明図を本発明の説明表示として内袋３の表面に反転印刷したり、内袋３の裏面に印刷したりしても構わない。また、内袋３の表面には、内袋３に設ける説明表示と関係ない文字や絵、図柄を印刷することもできる。さらに、上記の説明図を印刷ではなく、例えば内袋３の裏面に粘着シールを貼着することによって設けるようにしてもよい。
【００２９】
【発明の効果】
以上説明したように請求項１の発明においては、使用に際しては、簡単な作業で糞を外袋にくるんだ状態で内袋に収容することができるとともに、その状態でそれを持ち歩くことができ、さらには外袋にくるまれた状態の糞をそのまま水洗トイレに流すことができるようにした。よって、犬等のペットの糞の始末を簡単に行うことが可能となる。
【００３０】
また、請求項２の発明においては、開口部が開け易く、かつ開口部を開け広げたときには外袋よりも大きな開口面積が得られるようにした。よって、使用に際して内袋に手を差し入れる作業、及び糞をつかんだままで外袋と内袋が逆転するよう裏返す作業が容易となる。よって、使い勝手を向上させることができる。また、内袋の厚さが薄くとも、閉じた状態での側部には、屈曲しにくい保形性能をマチによって確保することができることから、ペット用糞処理用袋の製造に際して内袋が取り扱いやすくなり、外袋に内袋を収容する作業が容易となる。よって、それを人手により行う場合の作業効率を向上させることができ、かつ自動化の実現が容易となる。その結果、ペット用糞処理用袋の低コスト化が可能となる。
【００３１】
また、請求項３の発明においては、外袋にくるまれた糞が内袋に収容された状態においても、説明表示を視認することができるようにしたことから、これによっても使い勝手を向上させることができる。
【００３２】
また、請求項４の発明においては、外袋にくるまれた糞を内袋に収容した後、内袋の開口部側を結んで閉じた場合であっても、説明表示を視認することができるようにしたことから、さらに使い勝手を向上させることができる。
【００３３】
また、請求項５の発明においては内外が反転した状態で要をなす説明表示を、内袋の表面に設ける文字や絵、図柄等と共に一度で印刷することができるようにした。よって、コスト増を招くことなく、上記の説明表示を設けることができる。
【図面の簡単な説明】
【図１】本発明の一実施の形態を示すペット用糞処理用袋の外観図である。
【図２】同ペット用糞処理用袋の使用手順を示す説明図である。
【図３】同ペット用糞処理用袋の糞が収容された後の状態を示す図である。
【符号の説明】
１　　ペット用糞処理用袋
２　　外袋
２ａ　　底部
２ｂ　　両側辺
３　　内袋
３ａ　　底部
３ｂ　　開口部
３３ａ　　底縁
３３ｂ　　上縁
４　　マチ
Ａ　　第１の注意書き表示
Ｂ　　第２の注意書き表示
【図１】
2004049110.tif 000003
【図２】
2004049110.tif 000004
【図３】
2004049110.tif 000005